(57)【要約】【課題】  クルーンの動作を精度良く実行させると共に、サイズを小型に抑えることによって演出の幅を広げ、遊技者の興趣を向上し得るように構成した遊技機を提供する。【解決手段】  パチンコ機１では、ワープ導入口３２から導入された遊技球Ｂａが放出口５６,５７から夫々第１クルーン３３、第２クルーン３４に至るまでの経路において、側壁３３ｂ，３４ｂの接線方向Ｔに延びると共に、側壁３３ｂ，３４ｂの内面に向かって下降するように傾斜する案内面５８ａ，５８ｂを備える傾斜案内面５８を、第１クルーン３３、第２クルーン３４に夫々一体となるように備える。【選択図】      図７
2006115899.tif 000002
【特許請求の範囲】
【請求項１】
ユニット役物と入賞口とを遊技領域に備え、前記ユニット役物が、ワープ導入口と、主に該ワープ導入口から導入された遊技球を受ける遊技球ステージと、前記ワープ導入口と前記遊技球ステージとの間にて、前記ワープ導入口からの遊技球を、前記入賞口への入賞確率が互いに異なる複数のルートに振り分ける振り分け装置とを備える遊技機であって、
前記振り分け装置は、前記ワープ導入口からの遊技球を前記複数のルートに振り分けるためのクルーン部材を備え、
前記複数のクルーン部材は、周囲を円筒状壁面にて囲繞された形で遊技球を転動させる転動面と、該転動面の中心近傍に形成された貫通孔と、前記ワープ導入口から導入された遊技球を前記転動面に導く遊技球案内路とを備え、
前記遊技球案内路は、前記円筒状壁面の接線方向に延びると共に、前記円筒状壁面の内面に向かって下降するように傾斜する傾斜案内面を備えてなる、
ことを特徴とする遊技機。
【請求項２】
前記クルーン部材は、鉛直方向に重なる形で配置された複数個から構成される、
ことを特徴とする請求項１に記載の遊技機。
【請求項３】
前記クルーン部材は、前記転動面上に供給された遊技球を前記複数のルートに送るための一対の振り分け孔を前記貫通孔として前記円筒状壁面の中心近傍に隣接して備えてなる、
ことを特徴とする請求項１又は２に記載の遊技機。
【請求項４】
前記複数のルートは、前記入賞口への入賞確率が比較的高い第１入賞ルートと比較的低い第２入賞ルートとを備えてなり、
前記一対の振り分け孔は、前記転動面上で転動する遊技球を前記第１入賞ルートと第２入賞ルートとに夫々導いてなる、
ことを特徴とする請求項３に記載の遊技機。
【発明の詳細な説明】
【技術分野】
【０００１】
本発明は、パチンコ等の遊技機に係り、詳しくは、センター飾り等に導入された遊技球の流れを演出性豊かになるように改善した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ通路から入球した遊技球を始動チャッカー側に導くように転動させる遊技球ステージを備えたものが存在する（例えば、特許文献２参照）。
【０００５】
近年、上記のような遊技球ステージを有するパチンコ機にあって、当該ステージにおける所定の位置に球導入口を形成しておき、ワープ導入口から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
しかし、上記特許文献１ないし３に記載されるようなパチンコ機において、例えば、遊技球を異なる複数の落下ルートに振り分ける部材としてクルーンを用いようとする際、このクルーンに導入される遊技球にその機能に法った動作をさせるためには、クルーンの転動案内面に対する遊技球の進入方向を適切に導く必要がある。
【０００８】
つまり、クルーンに対する不適切な方向に遊技球を導いた場合には、当該遊技球が転動案内面を転動して所定の転動軌跡を描く前に、転動案内面に備えた複数の貫通孔のうちの意図しない孔に落下するような不都合を発生することがある。この場合、その状況を視認しながら遊技を進めている遊技者は、転動案内面に折角導かれた遊技球が期待しない貫通孔に落下した状況に興趣を削がれてしまい、結果的に遊技性が損なわれるといった問題を招くことがあった。
【０００９】
そこで本発明は、クルーンの転動案内面に対して遊技球を適切に導く動作をより精度良く実行させると共に、サイズを小型に抑えることによって演出の幅を広げ、遊技者の興趣を向上し得るように構成し、もって上述した課題を解決した遊技機を提供することを目的とするものである。
【課題を解決するための手段】
【００１０】
請求項１に係る本発明は（例えば図１ないし図９参照）、ユニット役物（１２）と入賞口（１６）とを遊技領域（７ａ）に備え、前記ユニット役物（１２）が、ワープ導入口（３２）と、主に該ワープ導入口（３２）から導入された遊技球を受ける遊技球ステージ（Ｓ）と、前記ワープ導入口（３２）と前記遊技球ステージ（Ｓ）との間にて、前記ワープ導入口（３２）からの遊技球（Ｂａ）を、前記入賞口（１６）への入賞確率が互いに異なる複数のルートに振り分ける振り分け装置（２５）とを備える遊技機（１）であって、
前記振り分け装置（２５）は、前記ワープ導入口（３２）からの遊技球（Ｂａ）を前記複数のルートに振り分けるためのクルーン部材（３３，３４）を備え、
前記複数のクルーン部材（３３，３４）は、周囲を円筒状壁面（３３ｂ，３４ｂ）にて囲繞された形で遊技球（Ｂａ）を転動させる転動面（３３ａ，３４ａ）と、該転動面（３３ａ，３４ａ）の中心（Ｃ）近傍に形成された貫通孔（３５，３６、３７，３８）と、前記ワープ導入口（３２）から導入された遊技球（Ｂａ）を前記転動面（３３ａ，３４ａ）に導く遊技球案内路（５８）とを備え、
前記遊技球案内路（５８）は、前記円筒状壁面（３３ｂ，３４ｂ）の接線方向（Ｔ）に延びると共に、前記円筒状壁面（３３ｂ，３４ｂ）の内面に向かって下降するように傾斜する傾斜案内面（５８ａ，５８ｂ）を備えてなる、
ことを特徴とする遊技機（１）にある。
【００１１】
なお、本発明における「ワープ導入」という語句は、遊技領域に打ち出された遊技球を、当該遊技領域における比較的下側に位置する道釘等を経ることなく、始動入賞口等の入賞口の上に導くことを意味する概念である。そして、上記「道釘」とは、遊技領域において始動入賞口等の入賞口の上部左右に打ち込まれた複数本の障害釘の列を意味するもので、上方から転動落下してきた遊技球を始動入賞口等の入賞口の方向に導く役割を担っている。また、本発明における上記「クルーン」という語句は、底面が曲面状に形成され、かつこの底面に複数個の表裏貫通孔を備え、底面上に転動されてきた遊技球を引き続き転動させつつ、貫通孔のいずれかに落下させる役物を意味している。
【００１２】
また、本発明に係る遊技機は、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の第２種特別電動役物と、遊技領域に備えた所謂オープンチャッカーへの入賞時に開放した電動式チューリップへの入球後の特定入賞口への入賞にて大当たりの権利を発生させる構成の第３種特別電動役物とに適用可能であるが、本発明における上記「入賞口」は、第１種及び第２種特別電動役物にあっては上記「始動入賞口」に対応し、また第３種特別電動役物にあっては上記「オープンチャッカー」に対応する。
【００１３】
請求項２に係る本発明は（例えば図１ないし図５参照）、前記クルーン部材（３３，３４）は、鉛直方向に重なる形で配置された複数個（３３，３４）から構成される、
ことを特徴とする請求項１に記載の遊技機（１）にある。
【００１４】
請求項３に係る本発明は（例えば図２、図４ないし図９参照）、前記クルーン部材（３３，３４）は、前記転動面（３３ａ，３４ａ）上に供給された遊技球（Ｂａ）を前記複数のルートに送るための一対の振り分け孔（３５，３６又は３７，３８）を前記貫通孔（３５，３６、３７，３８）として前記円筒状壁面（３３ｂ）の中心近傍に隣接して備えてなる、
ことを特徴とする請求項１又は２に記載の遊技機（１）にある。
【００１５】
請求項４に係る本発明は（例えば図２ないし図４参照）、前記複数のルートは、前記入賞口（１６）への入賞確率が比較的高い第１入賞ルートと比較的低い第２入賞ルートとを備えてなり、
前記一対の振り分け孔（３５，３６又は３７，３８）は、前記転動面（３３ａ又は３４ａ）上で転動する遊技球（Ｂａ）を前記第１入賞ルートと第２入賞ルートとに夫々導いてなる、
ことを特徴とする請求項３に記載の遊技機（１）にある。
【００１６】
なお、本発明における上記「入賞確率が比較的高い」とは、９７〜９９％、つまり略１００％の入賞確率を意味する概念であり、上記「入賞確率が比較的低い」とは、３５〜４５％の入賞確率を意味する概念である。また、上記カッコ内の符号は、図面と対照するためのものであるが、これは、発明の理解を容易にするための便宜的なものであり、特許請求の範囲の構成に何等影響を及ぼすものではない。
【発明の効果】
【００１７】
請求項１に係る本発明によると、ユニット役物が、ワープ導入口と、遊技球ステージと、これら両者の間にあってワープ導入口から導入された遊技球の進路を入賞確率が互いに異なる複数のルートに振り分ける振り分け装置を備え、この振り分け装置は、周囲を円筒状壁面にて囲繞された形で遊技球を転動させる転動案内面と、転動案内面の中心近傍に形成された貫通孔とを備える複数のクルーン部材を備え、さらに円筒状壁面の接線方向に延びると共に円筒状壁面の内面に向かって下降するように傾斜する傾斜案内面によって遊技球を転動案内面に導く遊技球案内路を備えるので、クルーン部材と一体となった遊技球案内路から適切に導かれる遊技球を、精度良くクルーン部材の転動案内面上で動作させることができる。従って、遊技者は、転動案内面に導かれた遊技球が適度に期待に沿った形で貫通孔に落下する状況を視認しながら一喜一憂し、高い興趣を伴った遊技を満喫することができる。さらに、例えば従来タイプのクルーンを用いた遊技機では当該クルーンに遊技球を導く案内路が比較的大がかりであったのに対して、本発明の遊技球案内路は、円筒状壁面の接線方向に延びる傾斜案内面によって遊技球を転動案内面に導くように構成されるので、比較的狭い遊技領域内に在って空間的な制約を受けるユニット役物の中にクルーン部材を有効に収めることができる。このため、コンパクトでありながら動きのあるアトラクションを遊技者に提供すると共に、振り分け装置としてのクルーン部材の機能が充分に発揮されることで遊技者の期待感を高めることができるようになる。
【００１８】
請求項２に係る本発明によると、複数のクルーン部材が、鉛直方向に重なる形に２段設けられるので、クルーン部材を横置きにした場合に比してユニット役物内の水平方向の面積を節約すると共に、遊技者は、多すぎず適度な個数のクルーン部材を視認しつつ、遊技球が最終的に始動入賞口に入賞できるか否かに期待感を膨らませながら遊技を進めることができる。
【００１９】
請求項３に係る本発明によると、複数のクルーン部材が夫々備える振り分け孔が、対応するクルーン部材の案内面の中心近傍に設けられるので、遊技者は、ワープ導入口から導入されて案内面上で転動する遊技球が振り分け孔のいずれに入球するかを注視しつつ、期待感を膨らませながら遊技を進めることができる。
【００２０】
請求項４に係る本発明によると、振り分け装置が備える複数のルートは入賞口への入賞確率が比較的高い第１入賞ルートと比較的低い第２入賞ルートとからなり、さらに振り分け装置が備える一対の振り分け孔により、転動面上で転動する遊技球をこれら夫々のルートに導くので、遊技者は振り分け装置上に導入された遊技球の動きを期待感を持って注視でき、遊技球を用いた演出を充分に満喫することができるようになる。
【発明を実施するための最良の形態】
【００２１】
以下、本発明に係る遊技機の実施形態として、遊技場等に設置されるパチンコ機を図１ないし図９に沿って説明する。なお、本実施の形態では、本発明の遊技機を所謂第１種特別電動役物のパチンコ機として述べるが、本発明はこれに限らず、所謂第２種特別電動役物や所謂第３種特別電動役物のパチンコ機にも適用可能であることは勿論である。
【００２２】
図１は本発明に係る実施の形態におけるパチンコ機の外部構造を示す正面図、図２は当該パチンコ機に搭載されたセンター飾り（ユニット役物）を単体で示す斜視図、図３は当該センター飾りを示す正面図、図４は図３に示したセンター飾りを同図A-A線に沿って切断して上方から見た状態で示す平面図、図５は振り分け装置の詳細な構造を示す分解斜視図、図６はセンター飾りに備えた振り分け装置のクルーンを拡大して示す斜視図、図７は図６のクルーンを上方から見た状態で示す平面図、図８はクルーンの側面断面図、図９はクルーンの変形例を示す斜視図である。
【００２３】
パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２４】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２５】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２６】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００２７】
遊技領域７ａには、遊技球ステージＳを有するセンター飾り（ユニット役物）１２が中央部分に配設されている。センター飾り１２の下部左右には、大当たり抽選に寄与しない一般の入賞が行われる入賞口２９，３０が配設されており、センター飾り１２の下方には、始動入賞口としての始動チャッカー１６と、大入賞口としてのアタッカー１７とが順次配設されている。
【００２８】
センター飾り１２の中央部分には開口１１が形成されており、遊技盤７には、この開口１１から露出するように図柄表示装置６が設けられている。センター飾り１２は、図柄表示装置６の右側に振り分け装置２５を備えており、この振り分け装置２５は、上下２段に重なるように、つまり上下方向（鉛直方向）に重なる形で夫々視認可能に配置された第１クルーン（クルーン部材）３３と第２クルーン（クルーン部材）３４とを備えている。上記始動チャッカー１６は、開放位置と閉止位置とに開閉動作するように、不図示のソレノイドによって作動させられる。なお、始動チャッカー１６の直上方には、所謂命釘としての一対の障害釘７０が打ち込まれている。
【００２９】
上記「クルーン」という語句は、底面が曲面状に形成され、かつこの底面に複数個の表裏貫通孔を備え、底面上に転動されてきた遊技球を引き続き転動させつつ、貫通孔のいずれかに落下させる役物を意味する。
【００３０】
始動チャッカー１６には、大当たり抽選実行の契機となり得る入賞が行われる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３１】
更に遊技領域７ａには、図柄表示装置６の左上方に風車４４が配設されており、図柄表示装置６の下方における始動チャッカー１６の左右には、スルーゲート６１ａ，６１ｂが配設されている。これらスルーゲート６１ａ，６１ｂは、始動チャッカー１６を開閉動作させるための抽選の契機となる遊技球通過が行われる役物である。
【００３２】
そして、遊技領域７ａにおけるスルーゲート６１ａ，６１ｂ、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘２８を含む多数の障害釘が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３３】
なお、本実施形態における「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００３４】
次に、センター飾り１２について図２ないし図４を参照して説明する。
【００３５】
すなわち、図２ないし図４に示すように、センター飾り１２は、上記開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００３６】
枠体１２ａは、その上部中央にワープ導入口３２を有しており、このワープ導入口３２から図の右下方に次第に細くなるように湾曲する形状の稲妻模様３１を有している。また、枠体１２ａ下部におけるブラケット部２７には、遊技球ステージＳの所定部位に連通する球放出口５３が形成されており、この球放出口５３は、始動チャッカー１６の直上方に位置して、放出する遊技球Ｂａが一対の障害釘７０の間を通って始動チャッカー１６にほぼ確実に（つまり、９７〜９９％の確率で）入賞し得るように構成されている。
【００３７】
センター飾り１２は更に、開口１１の右方に、ワープ導入口３２と遊技球ステージＳとの間に配置されて、ワープ導入口３２から導入された遊技球Ｂａの進路を振り分ける振り分け装置２５を備えている。遊技球ステージＳは、振り分け装置２５にて振り分けられた高確率入賞ルートの遊技球Ｂａを始動チャッカー１６に比較的高い確率（９７〜９９％(つまり、略１００％)）で入賞させ得る第１のステージＳ１と、振り分け装置２５にて振り分けられた低確率入賞ルートの遊技球Ｂａを始動チャッカー１６に比較的低い確率（３５〜４５％）で入賞させ得る第２のステージＳ２とを備えている。なお、振り分け装置２５によって振り分けられる上記３つのルートには、第１のステージＳ１及び第２のステージＳ２以外に、第２クルーン３４から落下した際に遊技球ステージＳの外方に放出される第３ルートが含まれる。
【００３８】
遊技球ステージＳ、即ち第１のステージＳ１及び第２のステージＳ２は夫々、左右に比較的長尺に延在する平坦面として形成されると共に、同図右方から左方に向かって下降するように傾斜して並列状に形成されている。つまり、第１及び第２のステージＳ１，Ｓ２は、同図右方（一側）から遊技球ステージＳの左右幅方向の左方（他側）に向かって徐々に下降するように傾斜して形成されている。この傾斜の角度θ（図３参照）は、２〜５゜の範囲内で適宜設定することができるが、４゜に設定することが、遊技球Ｂａの転がり状態を円滑にする上で好ましい。
【００３９】
また、遊技球ステージＳ、即ち第１のステージＳ１及び第２のステージＳ２は夫々、遊技機本体の奥側から手前側に向かって徐々に下降するように傾斜する遊技球転動面として構成されている。この傾斜角度は、２〜５゜の範囲で適宜設定することができるが、パチンコ機１全体の所謂ネカセ（通常は後方側に１゜傾斜）に鑑み、５゜に設定することが、遊技球Ｂａの転がり状態を円滑にする上で好ましい。つまり、奥側から手前側への傾斜が５゜の場合、ネカセ分の１゜が減算されて４゜となり、最良の傾斜状態が得られることになる。
【００４０】
第１のステージＳ１は、同図の右側に配置された振り分け装置２５から送られた遊技球Ｂａを図の右方から左方に向かって転動させる平坦状の転動面７１と、該転動面７１の奥側及び手前側の２面を区画する側壁４１，４２と、転動面７１の最後部、つまり傾斜に沿った最も低い部分に、転動移動してきた遊技球Ｂａを全て球放出口５３に導く球導入口４５とを備えている。側壁４１，４２の転動面７１側を向く内面には、発光ダイオード（以下、ＬＥＤと言う）が埋め込まれており、その照射光が転動面７１を適時照明することとなる。第１のステージＳ１における上記転動面７１は、遊技球Ｂａを１個ずつ転動案内できる程度の奥行き幅に構成されている。互いに対向して立設された側壁４１，４２の内面には、第１のステージＳ１の長手方向に沿って互い違いに（つまり千鳥状に）配置された転動速度抑制用の複数の突部４３が形成されている。
【００４１】
第２のステージＳ２は、同図の右側に配置された振り分け装置２５から送られた遊技球Ｂａを図の右方から左方に向かって転動させる平坦状の転動面７２と、該転動面７２の奥側及び手前側の２面を区画する側壁４２，７３と、転動面７２の最後部の一側部に形成されて放出口５３に連通する球導入口４９とを備えている。つまり、この球導入口４９は、第２ステージＳ２においての傾斜に沿った最も低い部分に、転動移動してきた複数の遊技球Ｂａのうちの一部を球放出口５３に導くように設けられている。球導入口４９の周囲には、転動面７２の左方への更なる転動移動を阻止して球導入口４９への落下を確実にさせるための保護枠５０が形成されている。
【００４２】
第２のステージＳ２における上記転動面７２は、遊技球Ｂａを複数個ずつ転動案内できるような、第１のステージＳ１より広い奥行き幅（約３倍）に構成されている。互いに対向して立設された側壁４２，７３の内面には、第２のステージＳ２の長手方向に沿って互い違いに（つまり千鳥状に）配置された転動速度抑制用の複数の突部４６が形成されている。また転動面７２には、振り分け装置２５側における遊技者側（図の手前側）から落下案内溝５２に向かって順に千鳥状に位置する９個の凸部４７が設けられている。凸部４７の当該個数は９個に限定されることはなく、必要に応じて設計時に適宜変更され得るものである。
【００４３】
上記複数個の凸部４７では、最後部の凸部４７Ａに対する遊技球Ｂａの方向や強さを含む弾接状況に応じて、球導入口４９への入球度合いが変わる。複数の凸部４７は、夫々透明材料からなり、球面状に上方に突出する形状を呈すると共に、各中心部４７ａは、転動面７２内に埋め込まれたＬＥＤからの光を上方に向けて射出するように形成される。
【００４４】
なお、上記透明材料の「透明」という語句は、濁りなく完全に透き通る状態のみならず、内方のＬＥＤから問題無く光照射させ得る全ての状態を含む概念である。
【００４５】
ところで、第２のステージＳ２の最も左側の位置には、図１に示すスルーゲート６１ａの上方に位置するように位置決めされた落下案内溝５２が形成されている。この落下案内溝５２は、遊技球ステージＳの前後方向（紙面手前−奥方向）に延在するように形成されており、第２のステージＳ２の転動面７２を転動してきて球導入口４９に入球できなかった遊技球Ｂａをステージ前方側に案内できるように、奥側から手前側に向かって徐々に下降するように傾斜して形成されている。
【００４６】
一方、振り分け装置２５は、図２及び図３の上方から見た平面視（図４参照）において重なるように上下２段に配置された第１及び第２クルーン３３，３４を備えている。上方に位置する第１クルーン３３側には、ワープ導入口３２から導入されて、上記稲妻模様３１内の案内溝７４（図３参照）を転動移動した後、垂直方向案内溝６７（図３参照）を通って落下する遊技球Ｂａを放出する放出口５６が設けられている。
【００４７】
第１クルーン３３には、放出口５６から放出された遊技球Ｂａを、裏面に固定された案内樋６２を介して下方の第２クルーン３４側に落下させるための貫通孔３５と、裏面に固定された案内樋６３を介して第２クルーン３４の下部側の排出口６６に放出するための貫通孔３６とが、センター飾り１２の左右方向（つまり、図１ないし図４における左右方向）に並んで配置されている。なお、図３中の符号７５は、演出用の照明装置を示している。
【００４８】
また、下方に位置する第２クルーン３４側には、上方の第１クルーン３３から案内樋６２を介して放出口５７から放出された遊技球Ｂａを、裏面に固定された案内樋６４を介して第１ステージＳ１に導入するための貫通孔３７と、裏面に固定された案内樋６５を介して、第２のステージＳ２の右前端部の当接部材５１の振り分け部５１ａに落下させるための貫通孔３８とが、センター飾り１２の左右方向（つまり、図１ないし図４における左右方向）に並んで配置されている。
【００４９】
上記当接部材５１は、図２及び図３に示すように、第２のステージＳ２の転動面７２に対して平行に（つまり水平に）延在する上記振り分け部５１ａと、転動面７２から振り分け装置２５の外方側（図２右方向）に所定角度で立ち上がるように延在する加速用弾接面５１ｂとを備えている。加速用弾接面５１ｂの上記所定角度は、第２クルーン３４の貫通孔３８を経由して直上方から落下してくる遊技球Ｂａを第２のステージＳ２側に効果的に加速して弾くことができる角度、つまり４０〜５０゜の範囲内で適宜設定することができる。
【００５０】
そして、図２に示すように、放出口５６から第１クルーン３３に至るまでの経路には、同図の左方に向かって下降するように傾斜する傾斜案内面（遊技球案内路）５８が、第１クルーン３３と一体となって形成されている。また、放出口５７から第２クルーン３４に至るまでの経路にも、同様の形状を有する傾斜案内面が形成されている。
【００５１】
ここで、図５ないし図８に沿って、第１及び第２クルーン３３，３４をより詳細に説明する。なお、これら両クルーン３３，３４は相互に同じ構成を有するため、ここでは第１クルーン３３の構成のみを説明し、基本的に第２クルーン３４の説明は省略することとする。
【００５２】
すなわち、第１クルーン３３は、図７に示す上下左右の位置関係を保持した状態で遊技球ステージＳ右側の振り分け装置２５に位置決め固定（図４参照）されるように構成されており、突起７８を中心とした平面視真円状の転動案内面（転動面）３３ａと、この転動案内面３３ａの図６における左右幅方向の一側と他側に位置する貫通孔３５，３６と、遊技球ステージＳの奥側（図７の上側）に延びる傾斜案内面５８と、傾斜案内面５８の周囲を互いに直交する形で覆う側壁３３ｃ，３３ｄ，３３ｅと、側壁３３ｄから延びて転動案内面３３ａの周囲を円筒状に覆う側壁（円筒状壁面）３３ｂとを有している。なお、貫通孔３６の内径ｄ２が貫通孔３５の内径ｄ１より若干大きく形成されている。具体的には、遊技球は通常、直径（外径）が１２［ｍｍ］に設計されており、従って、貫通孔３５の内径ｄ１は１２．５〜１３［ｍｍ］に、また貫通孔３６の内径ｄ２は１３〜１３．５［ｍｍ］に設定されることが好ましい。
【００５３】
図６に示すように、傾斜案内面５８は、同図上方から落下して側壁３３ｃの内側で受け止めた遊技球Ｂａを転動案内面３３ａに向けて転動移動できるように、全体的に転動案内面３３ａから所定高さの段差５８ｃ以上の高さを有するように設計されている。この構成により、上方から落下した遊技球Ｂａは、この段差５８ｃを有する側壁３３ｃの内側で一旦受け止められ、それまでの自重落下の勢いが殺されつつ、力の方向が変えられて次段階に移行すべき第１クルーン３３への助走力に変換される。
【００５４】
第１の案内面（傾斜案内面）５８ａは、側壁３３ｃの内側で受け止めた遊技球Ｂａを側壁３３ｄ側に寄せつつ転動案内面３３ａに向けて転動移動させ得るように、側壁３３ｄ側と転動案内面３３ａ側に同時に傾斜する第１の案内面５８ａと、この第１の案内面５８ａに連続して転動案内面３３ａ側に傾斜しつつ細く延びる第２の案内面（傾斜案内面）５８ｂとを有している。これら第１の案内面５８ａと第２の案内面５８ｂとが夫々有する角度等の設定により、第１クルーン３３の機能に法った動作が精度良く発揮され、第１クルーン３３上に導入される遊技球Ｂａの転動動作が遊技者にとって目を惹くものとなる。上述した第１クルーン３３にあっては、助走経路となる傾斜案内面５８がコンパクトでありながら、遊技球Ｂａを転動案内面３３ａ上に適度な進行方向（角度）と速度で導入できる装置構成が得られている。
【００５５】
上側の第１クルーン３３は、下側の第２クルーン３４にワープ導入口３２からの遊技球Ｂａを送るための貫通孔３５と、ワープ導入口３２からの遊技球Ｂａを低確率入賞ルートに送るための貫通孔３６とを、中心Ｃ（図８参照）を挟んで対向する形で有している。また、第２クルーン３４は、第１クルーン３３からの遊技球Ｂａを高確率入賞ルートに送るための貫通孔３７（図２参照）と、第１クルーン３３からの遊技球Ｂａを低確率入賞ルートに送るための貫通孔３８（図２参照）とを、中心Ｃ（図８参照）を挟んで対向する形で有している。
【００５６】
第１クルーン３３は、図６及び図７に示すように、貫通孔３５と貫通孔３６との間の接続部８０の中央に位置して鉛直方向上方に突出する上記突起７８を有しており、この突起７８を貫通孔３５，３６の夫々に向かって傾斜する傾斜面６９と、転動案内面３３ａから当該傾斜面６９に向かって傾斜する傾斜面６８とを有している。傾斜面６８は、傾斜案内面５８に受け止められて（図７の二点鎖線Ｂａ１参照）転動案内面３３ａの円筒状の内面に沿って転動する遊技球（図７の二点鎖線Ｂａ２参照）が転動案内面３３ａの中心側に至った際（図７の二点鎖線Ｂａ３参照）、この遊技球Ｂａ３を、貫通孔３５，３６のいずれかに進入し易くなるように案内する。そして突起７８は、当該進入時、例えば貫通孔３６側に入球しようとしながらも貫通孔３５側に流れそうになる遊技球Ｂａ３を、そのまま貫通孔３６側に入球させるように補助する機能を有する。この機能は、貫通孔３５側から貫通孔３６側への移動時にも同様に働くことは言うまでもない。
【００５７】
第１クルーン３３では、所定寸法（例えば１８０〜２００［ｍｍ］の範囲内）の半径を有する球体の一部をカットした球面形状を転動案内面３３ａとして用いている。このため、突起７８は、当該球面形状の中心に位置する突起７８の一側及び他側に並ぶように形成された貫通孔３５，３６夫々の側壁３３ｂ側と突起７８側との段差の存在に起因した、貫通孔３５，３６間での上述の遊技球流れを補助し得る程度の高さ寸法（例えば２〜４［ｍｍ］の範囲内）に設定されている。なお、貫通孔３５，３６間での上述の遊技球流れを、逆に遊技性として捉える場合には、図９に示す変形例のように、突起７８を除去して構成することもできる。或いは、別の遊技性の観点から勘案する場合、突起７８はそのまま残存させ、傾斜面６９を単なる平坦面として、貫通孔３５，３６間を連絡するだけの構成とすることもできる。
【００５８】
図８に示すように、第１及び第２クルーン３３，３４は夫々、貫通孔３６，３８における中心Ｃ側の縁部３６ｂ，３８ｂと中心Ｃと逆側の縁部３６ａ，３８ａとを結ぶ直線と水平方向線Ｈとでなす角度α１が、貫通孔３５，３７における中心Ｃ側の縁部３５ｂ，３７ｂと中心Ｃと逆側の縁部３５ａ，３７ａとを結ぶ直線と水平方向線Ｈとでなす角度α２より大きくなるように転動案内面（転動面）３３ａ，３４ａが全体的に所定角度（例えば０．３〜０．５［゜］の範囲内）だけ傾斜するように位置決めされて形成されている。
【００５９】
即ち、第１及び第２クルーン３３，３４は夫々、球面状の底面を遊技球Ｂａの転動案内面３３ａ，３４ａとして備えると共に、転動案内面３３ａ，３４ａの中心Ｃに関する点対称の位置となるように貫通孔３５と３６及び貫通孔３７と３８を備え、かつこれら貫通孔の一方３６，３８への入球率を高めるように当該一方の貫通孔３６，３８側が他方の貫通孔３５，３７側よりも垂直方向（図８の上下方向）に高く位置するように転動案内面３３ａ，３４ａが傾斜（例えば０．３〜０．５［゜］）して位置決めされている。
【００６０】
つまり、図７を参照すると理解できるように、第１クルーン３３は、傾斜案内面５８側から転動して側壁３３ｂの内周面に沿って転動してくる遊技球Ｂａ３を、第２ステージＳ２に導く貫通孔３６側に進入し易くする目的から、図３に示す装着状態において転動案内面３３ａの同図右側が所定寸法だけ同図左側より鉛直方向に高くなるように、予め（側壁３３ｂ，３４ａ）等に対する相対位置が定められた形で製作されている。当該構造が第２クルーン３４においても同様であることは言うまでもない。
【００６１】
なお、本実施形態においてセンター飾り１２は、第１のステージＳ１を備えて始動チャッカー１６への入賞確率が比較的高い第１入賞ルートと、第２のステージＳ２を備えて比較的低い第２入賞ルートとを具備しており、上記貫通孔３６，３８が、転動案内面３３ａ，３４ａ上で転動する遊技球Ｂａを上記第２入賞ルートに導くように構成される。
【００６２】
また、図２及び図３に示すように、センター飾り１２における開口１１の右端部には、振り分け装置２５の左端部にあって上下方向（鉛直方向）に延設された照明装置３９が配置されている。この照明装置３９は、長手方向に沿って一定間隔で配置された状態で前方を向く複数の射出窓４０を備えると共に、これら射出窓４０より少数で長手方向に沿って配置された不図示の射出窓を備えている。射出窓４０は、遊技者に対し光照射して種々の演出を行うためのものであり、不図示の上記射出窓は、振り分け装置２５側に光照射して第１及び第２クルーン３３，３４及びその近傍を照明するためのものである。
【００６３】
ここで、上記振り分け装置２５の詳細な構造について図５に沿って説明する。同図に示すように、振り分け装置２５は、第１及び第２クルーン３３，３４等を前後方向（図５の左右方向）から挟み込んでセンター飾り１２の本体側に支持すると共に、照明装置３９の外郭をなす前枠８３ａ及び後枠８３ｂを備えている。
【００６４】
前枠８３ａには、上下方向に射出窓４０が多数配列されており、当該上下方向の中段及び下段の位置に夫々、第１クルーン３３の前側を覆った形で支持する第１カバー部材８０と、第２クルーン３４の前側を覆った形で支持する第２カバー部材８１とが前枠８３ａの本体と一体に設けられている。
【００６５】
第１クルーン３３及び第２クルーン３４双方の下面には夫々、球受け部材Ｒ１，Ｒ２が固定されている。球受け部材Ｒ１は、上述した案内樋６２及び案内樋６３を一体に有しており、これら案内樋６２，６３は夫々、遊技球案内溝６２ａ，６３ａを有している。球受け部材Ｒ２は、上述した案内樋６４及び案内樋６５を一体に有しており、これら案内樋６４，６５は夫々、遊技球案内溝６４ａ，６５ａを有している。
【００６６】
球受け部材Ｒ２の案内樋６４は、その前面にシール１１０が貼付されており、遊技球案内溝６４ａの上側には、磁気等を検出媒体として金属製の遊技球Ｂａの通過を検知する近接スイッチから構成されて第１ステージＳ１への遊技球Ｂａの導入を検知する第１ステージ導入検知センサ８２が位置決め固定されている。この第１ステージ導入検知センサ８２は、第２クルーン３４の貫通孔３７から導入されて遊技球案内溝６４ａに落下する遊技球Ｂａを通過させる通過孔８２ａを有している。
【００６７】
前枠８３ａにおける射出窓４０の背面側には、透明材料からなる飾りレンズ部材８８が位置決め固定されている。該飾りレンズ部材８８の内方空間８８ａには、多数の発光ダイオード（以下、ＬＥＤと言う）８９が実装された電飾基板８６が挿入配置される。また、飾りレンズ部材８８の開口１１側（図２参照）に向いた外側面にはシール８７が貼付される。
【００６８】
後枠８３ｂは、センター飾り１２のワープ導入口３２から導入された遊技球Ｂａが進入する進入孔７９と、該進入孔７９から進入した遊技球Ｂａを自重落下させるべき垂直方向案内溝６７（図３参照）の前壁を構成する壁部６７ａと、該壁部６７ａの最下部に形成された放出口５６（図３参照）と、該放出口５６の下方に位置して、球受け部材Ｒ１の遊技球案内溝６２ａ及び６３ａに夫々連通すべき連通口１１３及び９０とを備えている。後枠８３ｂは更に、第１クルーン３３の貫通孔３５から連通口１１３に導入された遊技球Ｂａを第２クルーン３４上に放出すべき放出口５７（図３参照）と、第２クルーン３４の貫通孔３７に落下した遊技球Ｂａを球受け部材Ｒ２の遊技球案内溝６４ａから受けて第１ステージＳ１に送るための球連絡孔９１と、連通口９０に導入された遊技球Ｂａを第２ステージＳ２上に排出する排出口６６とを備えている。
【００６９】
前枠８３ａと後枠８３ｂ間には、前枠８３ａ及び後枠８３ｂの相互間に位置決め固定されて、電飾基板８６のＬＥＤ８９による光照射を反射して第１及び第２クルーン３３，３４等を効果的に照明するための上側反射板８４及び下側反射板８５が固定される。
【００７０】
したがって、本実施形態におけるパチンコ機１では、皿ユニット１３上に遊技球Ｂａが滞留している状態にて、遊技者が発射ハンドル９を握って図１の時計回り方向に適宜の角度回動させて保持すると、不図示の発射装置の作動によって遊技球Ｂａが遊技領域７ａに向けて打ち出される。すると、ガイドレール４９から遊技領域７ａ上に放出された多数の遊技球Ｂａのうち、一部がワープ導入口３２から入球される。
【００７１】
そして、ワープ導入口３２から導入された遊技球Ｂａは、案内溝７４（図３）を通って垂直方向案内溝６７を落下し、不図示の落下速度抑制機構によって落下速度を軽減された後、放出口５６から傾斜案内面５８を経由して第１クルーン３３の側壁３３ｂ内に放出される。この際、垂直方向案内溝６７から落下した上記遊技球Ｂａは、側壁３３ｃの内側で一旦受け止められて自重落下の勢いを殺されつつ、力の方向を変えられて次段階に移行すべく、第１クルーン３３への助走力に変換されて転動案内面３３ａに向けて円滑に転動する。このような機能は、側壁３３ｂの接線方向Ｔに沿って延びて全体的なコンパクト化を実現している傾斜案内面５８が、自重落下してきた遊技球Ｂａの速度及び転動方向を極めて簡便に変換できる構成に起因している。上記のように遊技球Ｂａが転動方向を変換されたとき、傾斜案内面５８に有する第１の案内面５８ａと第２の案内面５８ｂとが夫々になす傾斜により、当該遊技球Ｂａは第１クルーン３３の機能に法って、この側壁３３ｂの内面に沿って回転するように転動する。第１クルーン３３上の遊技球Ｂａは、摩擦抵抗等に起因して転動速度が弱まった段階で、球面状に形成されて低くなっている中心部分に導かれ、貫通孔３５，３６のいずれかに落下することとなる。
【００７２】
貫通孔３５に落下した場合、遊技球Ｂａは、案内樋６２から傾斜案内面（図示せず）を経由して第２クルーン３４上の側壁（円筒状壁面）３４ｂ内（図７参照）に放出され、この側壁３４ｂの内面に沿って回転するように転動する。そして、第２クルーン３４上の遊技球Ｂａは、摩擦抵抗等に起因して転動速度が弱まった段階で、第１クルーン３３と同様形状の中心部分に導かれ、貫通孔３７，３８のいずれかに落下することとなる。
【００７３】
一方、第１クルーン３３の貫通孔３６に落下した場合、遊技球Ｂａは、案内樋６３から排出口６６を経由して第２のステージＳ２に向けて放出され、この第２のステージＳ２をその傾斜に沿って図２の左方向に、複数の凸部４７に任意に当接しつつ転動し、最後端の凸部４７Ａに適切な角度で当接する等の偶然的な要件を満たした場合、球導入口４９に導入されて球放出口５３から始動チャッカー１６に入賞し、或いは球導入口４９に入球できずに落下案内溝５２から下方のスルーゲート６１ａに向けて落下されることとなる。なお、球導入口４９に導入された場合であっても、障害釘７０への当接状況により始動チャッカー１６に入賞できない場合があることは言うまでもない。
【００７４】
第２のステージＳ２を遊技球Ｂａが転動する途中、転動面７２では各凸部４７の中心部４７ａに対応するＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００７５】
そして、第２クルーン３４において貫通孔３７に落下した場合、その遊技球Ｂａは、案内樋６４を介して第１のステージＳ１の最右端部に放出され、転動面７１の傾斜に沿って、その進行方向の左右に位置して突出する転動速度抑制用の複数の突部４３に交互に当接しながら緩やかに転動移動する。そして、最後部にて球導入口４５に入球して球放出口５３から始動チャッカー１６に入賞することとなる。この際も、球導入口４９に導入されても始動チャッカー１６に入賞できない場合があることは言うまでもない。第１のステージＳ１を遊技球Ｂａが転動する途中、側壁４１，４２に埋め込まれたＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００７６】
なお、第２のステージＳ２から落下する遊技球Ｂａは、その落下方向が、始動チャッカー１６上の一対の障害釘７０の間を通過して入球し得る方向と異なるとしても、当該障害釘７０の左右に打ち込まれた不図示の所謂ジャンプ釘や、当該ジャンプ釘から左右方向に配列された道釘（図示せず）で弾かれることにより、所謂命釘である障害釘７０に絡んでその間を落下して始動チャッカー１６に入球することもある。
【００７７】
以上説明した本実施形態によると、ワープ導入口３２から導入された遊技球Ｂａが放出口５６,５７から夫々第１クルーン３３、第２クルーン３４に至るまでの経路において、側壁３３ｂ，３４ｂの接線方向に延びると共に、側壁３３ｂ，３４ｂの内面に向かって下降するように傾斜する案内面５８ａ，５８ｂを備える傾斜案内面５８を備えるので、第１及び第２クルーン３３，３４と夫々一体となった傾斜案内面５８（第２クルーン３４側は図示省略）から適切に導かれる遊技球Ｂａを、精度良く転動案内面３３ａ，３４ａ上で動作させることができる。従って、遊技者は、転動案内面３３ａ，３４ａに導かれた遊技球Ｂａが適度に期待に沿った形で貫通孔３５〜３８の何れかに落下する状況を視認しながら一喜一憂し、高い興趣を伴った遊技を満喫することができる。
【００７８】
さらに、例えば従来タイプのクルーンを用いたパチンコ機では当該クルーンに遊技球を導く案内路が比較的大がかりであったのに対して、本実施形態では、転動案内面３３ａ，３４ａが、円筒状壁面である側壁３３ｂの接線方向Ｔに延びる傾斜案内面５８によって遊技球Ｂａを転動案内面３３ａ，３４ａに導くように構成される。これにより、比較的狭い遊技領域７ａ内に在って空間的な制約を受けるセンター飾り１２の中に第１及び第２クルーン３３，３４を有効に収めることができる。このため、コンパクトでありながら動きのあるアトラクションを遊技者に提供すると共に、振り分け装置２５としての第１及び第２クルーン３３，３４の機能が充分に発揮されることで遊技者の期待感を高めることができるようになる。
【００７９】
また、第１クルーン３３、第２クルーン３４がワープ導入口３２から導入された遊技球Ｂａを転動案内面３３ａ，３４ａ上に導く傾斜案内面５８（第２クルーン３４側は図示省略）を備えるので、クルーンと遊技球案内路である傾斜案内面５８とが一体となることによって小型化を図ることができ、センター飾り１２にクルーン３３，３４を組み込むなど、演出の幅を広げることで遊技者の興趣を向上させることができるようになる。
【００８０】
また、クルーン３３，３４が鉛直方向に重なる形に２段設けられているので、遊技者は、多すぎず適度な個数のクルーン３３，３４を視認しつつ、遊技球Ｂａが最終的に始動チャッカー１６に入賞できるか否かに期待感を膨らませながら遊技を進めることができる。更に、クルーン３３，３４が夫々備える貫通孔３５，３７及び３６，３８が、対応するクルーン部材３３，３４の転動案内面３３ａ，３４ａの中心Ｃ近傍に隣接して設けられているので、貫通孔３５，３７及び３６，３８のいずれかに導入される遊技球Ｂａを注視し、その遊技球Ｂａが最終的に始動チャッカー１６に入賞できるか否かに期待感を膨らませながら遊技を進めることができる。なお、本実施形態では、第１及び第２クルーン３３，３４が鉛直方向に２段が重なる形の構成として説明したが、これに限らず、３段以上のクルーンが重なるように構成しても良いことは勿論である。
【００８１】
また、クルーン３３，３４が備える貫通孔３５，３７及び３６，３８は、ワープ導入口３２から導入された遊技球Ｂａを、始動チャッカー１６への入賞確率が比較的高い第１入賞ルートと比較的低い第２入賞ルートとに夫々導くので、遊技者はクルーン３３，３４上に導入された遊技球Ｂａの動きを期待感を持って注視させられることとなり、遊技球Ｂａを用いた演出を充分に満喫することができるようになる。
【００８２】
なお、以上で説明した、本実施の形態においては、図５に示した、第１クルーン３３と球受け部材Ｒ１、第２クルーン３４と球受け部材Ｒ２は、夫々別の部材同士から構成されるものとして説明したが、第１クルーン３３の下側に球受け部材Ｒ１を一体的に形成し、第２クルーン３４の下側に球受け部材Ｒ２を一体的に形成するように製造することもできる。こうすることにより、更にクルーンの一層の小型化を図ることができ、かつ組付け作業の際の手間を軽減させることができ、クルーンの演出用途を更に広げることができる。
【００８３】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８４】
【図１】本発明に係る実施の形態におけるパチンコ機の外部構造を示す正面図。
【図２】当該パチンコ機に搭載されたセンター飾り（ユニット役物）を単体で示す斜視図。
【図３】当該センター飾りを示す正面図。
【図４】図３に示したセンター飾りを同図A-A線に沿って切断して上方から見た状態で示す平面図。
【図５】振り分け装置の詳細な構造を示す分解斜視図。
【図６】センター飾りに備えた振り分け装置のクルーンを拡大して示す斜視図。
【図７】図６のクルーンを上方から見た状態で示す平面図。
【図８】クルーンの側面断面図。
【図９】クルーンの変形例を示す斜視図。
【符号の説明】
【００８５】
１：パチンコ機（遊技機）
７ａ：遊技領域
１２：センター飾り（ユニット役物）
１６：始動チャッカー（入賞口）
２５：振り分け装置
３２：ワープ導入口
３３：第１クルーン（クルーン部材）
３４：第２クルーン（クルーン部材）
３３ａ，３４ａ：転動案内面（転動面）
３３ｂ，３４ｂ：側壁（円筒状壁面）
３５，３６、３７，３８：貫通孔（振り分け孔）
５８：傾斜案内面（遊技球案内路）
５８ａ，５８ｂ：案内面（傾斜案内面）
Ｂａ：遊技球
Ｃ：中心
Ｓ：遊技球ステージ
Ｔ：接線方向
【図１】
2006115899.tif 000003
【図２】
2006115899.tif 000004
【図３】
2006115899.tif 000005
【図４】
2006115899.tif 000006
【図５】
2006115899.tif 000007
【図６】
2006115899.tif 000008
【図７】
2006115899.tif 000009
【図８】
2006115899.tif 000010
【図９】
2006115899.tif 000011